(57)【要約】      （修正有）【課題】持ち運びに便利であるとともに、カット練習も含めたエステティック練習用として実際に役に立つ練習兼展示用マネキンを提供する。【解決手段】練習兼展示用マネキン１０は、横幅が７〜１２ｃｍ、高さが１０〜１７．０ｃｍ、鉢回りが２７〜４５ｃｍの頭部１４、該頭部の大きさに合わせた大きさの頸部１６、および肩部１８とバスト部２０からなる胸部２２を持つマネキン本体１２を備え、頭部１４に人毛である練習用毛髪３０が植設されていることを特徴とする。【選択図】図１
0003211324.tif 000002
【実用新案登録請求の範囲】
【請求項１】
横幅が７〜１２ｃｍ、高さが１０〜１７．０ｃｍ、鉢回りが２７〜４５ｃｍの頭部、該頭部の大きさに合わせた大きさの頸部、および肩部とバスト部からなる胸部を持つマネキン本体を備え、前記頭部に人毛である練習用毛髪が植設されていることを特徴とする練習兼展示用マネキン。
【請求項２】
前記頭部の横幅が８．０〜１０．５ｃｍ、高さが１０．８〜１５．５ｃｍ、鉢回りが２９．０〜４３．５ｃｍである請求項１の練習兼展示用マネキン。
【請求項３】
前記練習用毛髪の植設密度が１００〜３００本/ｃｍ２である請求項１または２の練習兼展示用マネキン。
【請求項４】
前記マネキン本体が、塩化ビニル製またはシリコ−ン樹脂製である請求項１〜３のいずれかの練習兼展示用マネキン。
【請求項５】
毛髪のカット練習用である請求項１〜４のいずれかの練習兼展示用マネキン。
【請求項６】
毛髪の染色および/または脱色練習用である請求項１〜４のいずれかの練習兼展示用マネキン。
【請求項７】
メイキャップ練習用である請求項１〜４のいずれかの練習兼展示用マネキン。
【考案の詳細な説明】
【技術分野】
【０００１】
本考案は、種々の美容・理容練習用として用いることのできる練習兼展示用マネキンを提供する。
【背景技術】
【０００２】
上記練習兼展示用マネキンとしては、例えば、頭髪のカット練習を行うためのカット練習用マネキンウィッグが知られている。
頭髪のカット練習用に、カット練習用マネキンウィッグが販売されており、カット技術の向上のためには、必須の道具となっている。
【０００３】
そこで、このカット練習用マネキンウィッグについて、各種の提案がなされている（特許文献１〜３参照）。
【０００４】
ここで、カット練習用マネキンウィッグにおいては、実際の人の頭髪のカットとの差について十分な検討がなされておらず、十分な練習とならないおそれがあった。
【０００５】
そこで、実用新案登録第３１７３１４７号公報において、実際に近いカット練習が行えるカット練習用マネキンウィッグが提案された。
この公報で提案された頭髪のカット練習を行うためのカット練習用マネキンウィッグは、植毛された頭髪を含み、人の頭を模したマネキン頭部と、マネキン頭部から下方に伸びる首部と、首部の下方に少なくとも左右方向に伸びる肩部と、を有し、前記肩部は、マネキン 頭部の幅に対応する幅となっており、人の肩を模した形状となっていることを特徴とする。
【０００６】
そして、このような提案に基づき、練習用マネキンが実際に市販されているが、市販されている実際の練習兼展示用マネキンは、等身大のものであり、持ち運びに不便であるとともに、複数を陳列すると、生々しく、人を驚かせるという問題がある。
【先行技術文献】
【特許文献】
【０００７】
【特許文献１】特開２０１０−３５８８９号公報
【特許文献２】特開２００−２８３８０号公報
【特許文献３】特開２００３−１６４３３０号公報
【特許文献４】実用新案登録第３１７３１４７号公報
【考案の概要】
【考案が解決しようとする課題】
【０００８】
そこで、本考案の考案は、持ち運びに便利であるとともに、カット練習も含めたエステティック練習用として実際に役に立つ練習兼展示用マネキンを提供することを目的とするものである。
【課題を解決するための手段】
【０００９】
本考案の上記課題は、以下の（１）〜（８）の構造の練習兼展示用マネキンによって達成することができる。
（１）
横幅が７〜１２ｃｍ、高さが１０〜１７．０ｃｍ、鉢回りが２７〜４５ｃｍの頭部、該頭部の大きさに合わせた大きさの頸部、および肩部とバスト部からなる胸部を持つマネキン本体を備え、前記頭部に人毛である練習用毛髪が植設されていることを特徴とする練習兼展示用マネキン。
（２）
前記頭部の横幅が８．０〜１０．５ｃｍ、高さが１０．８〜１５．５ｃｍ、鉢回りが２９．０〜４３．５ｃｍである前記（１）の練習兼展示用マネキン。
（３）
前記練習用毛髪の植設密度が、１００〜３００本/ｃｍ２である前記（１）または（２）の練習兼展示用マネキン。
（４）
前記マネキン本体が、塩化ビニル製またはシリコーン樹脂である前記（１）〜（３）のいずれかの練習兼展示用マネキン。
（５）
毛髪のカット練習用である前記（１）〜（４）のいずれかの練習兼展示用マネキン。
（６）
毛髪の染色および/または脱色練習用である前記（１）〜（４）のいずれかの練習兼展示用マネキン。
（７）
メイキャップ練習用である前記（１）〜（４）のいずれかの練習兼展示用マネキン。
【考案の効果】
【００１０】
本考案の練習兼展示用マネキンにおいては、容積において、通常のマネキン顔より四分の一程度となるので、運搬用のトランクやバッグに、従来のものに比べて４倍程度の数の練習兼展示用マネキンを収容させることができ、持ち運びに便利である。
【００１１】
また、本考案の練習兼展示用マネキンは、従来のものより小さいので、極めて安価であり、エステ練習時に取り扱いやすく、また、毛染め液や脱色液等の薬液も少量で済むという利点もある。
【図面の簡単な説明】
【００１２】
【図１】本考案の実施の形態による練習兼展示用マネキンの正面図である。
【図２】図１の練習兼展示用マネキンの側面図である。
【図３】図１の練習兼展示用マネキンの平面図である。
【考案を実施するための形態】
【００１３】
以下、添付図面を参照しつつ、本考案の実施形態による練習兼展示用マネキンについて説明する。
【００１４】
本考案の実施形態による練習兼展示用マネキン１０は、マネキン本体１２を備えている。このマネキン本体１２は、横幅が７〜１２ｃｍ、高さが１０〜１７．０ｃｍ、鉢回りが２７〜４５ｃｍ、好ましくは、横幅が８．０〜１０．５ｃｍ、高さが１０．８〜１５．５ｃｍ、鉢回りが２９．０〜４３．５ｃｍの頭部１４、該頭部１４の大きさに合わせた大きさの頸部１６、および肩部１８とバスト部２０からなる胸部２２を持っている。
【００１５】
前記マネキン本体１２は、全体が塩化ビニルやシリコーン樹脂のような人間の肌の感触に近い素材で形成されていることが好ましく、前記頭部１４の前面の顔部は、人間のそれと比べて小さいが、全体としては、臨場感を持たせるため、人間の顔に近い構成配置や凹凸となっている。なお、マネキン本体１２の全体の高さＨは、２０〜３３ｃｍ、肩部における幅Ｗが１８〜３０ｃｍに設定されていることが好ましい。
【００１６】
前記マネキン本体１２の頭部１４には、人毛である練習用毛髪３０が植設されている。この練習用毛髪３０は、前記頭部１４の大きさに合わせた長さのものであることが好ましい。
また、前記練習用毛髪３０の植設密度は、実際の人間のものに合わせて１００〜３００本/ｃｍ２であることが好ましい。この密度が上記未満であると、臨場感にかけ、上記を越えると取扱にくくなる。
【００１７】
本練習兼展示用マネキン１０は、上記のような構造・形態であるので、毛髪のカット練習用、メイキャップ練習用、毛髪の染色・脱色練習用等として用いることができる。
【００１８】
本考案の練習兼展示用マネキンにおいては、幅等の２次元的サイズが通常のマネキン顔に比べて、二分の一程度であるので、容積において、通常のマネキン顔より四分の一程度となるので、運搬用のトランクやバッグに、従来のものに比べて４倍程度の数の練習兼展示用マネキンを収容させることができ、持ち運びに便利である。
【００１９】
また、本考案の練習兼展示用マネキンは、従来のものより小さいので、極めて安価であり、美容・理容練習時に取り扱いやすく、また、毛染め液や脱色液等の薬液も少量で済むという利点もある。
さらには、上記サイズから、本考案の練習兼展示用マネキンを用いての練習者（講習者）の作品を、展示場（ショーウインド等）に展示しておいても、見学者は勿論のこと通りすがりの人々を驚かしたりしないという利点もある。
【符号の説明】
【００２０】
１０  練習兼展示用マネキン
１２  マネキン本体
１４  頭部
１６  頸部
１８  肩部
２０  バスト部
２２  胸部
３０  練習用毛髪
【図１】
0003211324.tif 000003
【図２】
0003211324.tif 000004
【図３】
0003211324.tif 000005